(57)【要約】【課題】  起動時間が長いことによりユーザが感じる不快感を低減させる画像再生装置を提供する。【解決手段】  表示条件としての制限を持たないデフォルトオープニング画像データと、予め表示条件として表示有効期間情報が付加された追加オープニング画像データとが記録された記録媒体２０と、自装置の電源が投入されたときに表示有効期間情報を取得する表示条件取得部５２と、自装置の電源が投入されたときに電源投入時の年月日情報を取得する日時情報取得部５３と、取得された電源投入時の年月日情報が表示有効期間情報の示す期間であるときには追加オープニング画像データを選択し、電源投入時の年月日が表示有効期間情報の示す期間内ではないときにはデフォルトオープニング画像データを選択するオープニング画像選択部５４と、選択されたオープニング画像データを表示装置に送信する表示情報送信部６０とを備える。【選択図】  図１
2009100008.tif 000002
【特許請求の範囲】
【請求項１】
表示装置に画像データを再生させる画像再生装置において、
自装置の電源が投入されてからユーザの操作が可能になるまでの期間に前記表示装置に表示させるオープニング画像データであり表示条件としての制限を持たないデフォルトオープニング画像データと、予め表示条件として設定された期間の情報である表示有効期間情報が付加された前記オープニング画像データである追加オープニング画像データとが記録された記録媒体と、
自装置の電源が投入されたときに、前記追加オープニング画像データに付加された前記表示有効期間情報を取得する表示条件取得部と、
前記自装置の電源が投入されたときに、この電源投入時の年月日情報を取得する日時情報取得部と、
前記日時情報取得部が取得した前記電源投入時の年月日情報の示す時点が、前記表示条件取得部で取得された表示有効期間情報の示す期間内に含まれるか否かを判断し、判断の結果、前記電源投入時の年月日情報の示す時点が前記表示有効期間情報の示す期間内に含まれるときには前記追加オープニング画像データを選択し、前記電源投入時の年月日情報の示す時点が前記表示有効期間情報の示す期間内に含まれないときには前記デフォルトオープニング画像データを選択するオープニング画像選択部と、
前記オープニング画像選択部が選択した前記追加オープニング画像データまたは前記デフォルトオープニング画像データを前記記録媒体から取得し前記表示装置に送信する表示情報取得送信部と
を備えることを特徴とする画像再生装置。
【請求項２】
前記表示条件取得部が取得した前記表示有効期間情報の示す期間が、前記日時情報取得部が取得した前記電源投入時の年月日情報の示す時点以前であるときに、前記記録媒体に記録されている前記追加オープニング画像データを削除するデータ削除処理部をさらに有する
ことを特徴とする請求項１に記載の画像再生装置。
【請求項３】
表示装置に画像データを再生させる画像再生装置において、
自装置の電源が投入されてからユーザの操作が可能になるまでの期間に起動時に前記表示装置に表示させるオープニング画像データであり表示条件としての制限を持たないデフォルトオープニング画像データと、予め表示条件として設定された表示可能な装置を識別する情報である表示有効装置情報が付加された前記オープニング画像データである追加オープニング画像データとが記録された記録媒体と、
自装置の電源が投入されたときに、前記追加オープニング画像データに付加された前記表示有効装置情報を取得する表示条件取得部と、
前記自装置の電源が投入されたときに、この前記自装置を識別する自装置情報を取得する装置情報取得部と、
前記装置情報取得部が取得した前記自装置情報が、前記表示条件取得部で取得された表示有効装置情報に該当するか否かを判断し、判断の結果、前記自装置情報が前記表示有効装置情報に該当するときには前記追加オープニング画像データを選択し、前記自装置情報が前記表示有効装置情報に該当しないときには前記デフォルトオープニング画像データを選択するオープニング画像選択部と、
前記オープニング画像選択部が選択した前記追加オープニング画像データまたは前記デフォルトオープニング画像データを前記記憶媒体から取得し前記表示装置に送信する表示情報取得送信部と
を備えることを特徴とする画像再生装置。
【請求項４】
前記表示条件取得部が取得した表示有効装置情報が、前記装置情報取得部で取得された自表示情報に該当しないときに、前記記録媒体に記録されている前記追加オープニング画像データを削除するデータ削除処理部をさらに有する
ことを特徴とする請求項３に記載の画像再生装置。
【請求項５】
前記追加オープニング画像データを外部から受信して前記記録媒体に記録する追加オープニング画像データ記録制御部をさらに有する
ことを特徴とする請求項１〜４いずれか１項に記載の画像再生装置。
【発明の詳細な説明】
【技術分野】
【０００１】
本発明は、受信した映像データまたは記録した映像データを再生する画像再生装置に関する。
【背景技術】
【０００２】
近年、大容量記録媒体を内蔵するハードディスクレコーダなどの映像再生装置の高性能化、高機能化が飛躍的に進んでいる。
【０００３】
このような映像再生装置では、高性能化、高機能化が進んだことにより装置を制御するための制御用ソフトウェアの規模が年々増大し、電源が投入されてからこの制御用ソフトウェアが全て実行されてユーザが操作可能になるまでの起動時間が長くなりユーザに不快感を与える場合があった。
【０００４】
この起動時間が長いことによる不快感を低減させるための技術として、特許文献１に記載のものがある。
【０００５】
特許文献１には、前回電源を投入（ＯＮ）した日時あるいは切断（ＯＦＦ）した日時を記録しておき、この記録されている日時と今回電源をＯＮした日時とを比較し、その結果、今回の日時が前回の日時と大きく変化していた場合（例えば年、または月等が変わったとき）には表示するオープニング画像を変更する表示制御装置が記載されている。
【特許文献１】特開２００５−３２１６９５号公報
【発明の開示】
【発明が解決しようとする課題】
【０００６】
この特許文献１の技術では、電源を投入した日時に応じてオープニング画像を変更するため、従来よりもオープニング画像表示時の待機時間におけるユーザの不快感をある程度低減させることができる。しかし、さらにそれぞれのユーザのニーズに応じたオープニング画像を表示させる画像再生装置があれば、ユーザの不快感を更に低減させることができる。
【０００７】
よって本発明は、起動時の環境に基づいてユーザのニーズに応じたオープニング画像を表示させることにより、起動時間が長いことによりユーザが感じる不快感を低減させる画像再生装置を提供することを目的とする。
【課題を解決するための手段】
【０００８】
上記目的を達成するための本発明の画像再生装置（１）は、表示装置に画像データを再生させるものであり、自装置の電源が投入されてからユーザの操作が可能になるまでの期間に前記表示装置に表示させるオープニング画像データであり表示条件としての制限を持たないデフォルトオープニング画像データと、予め表示条件として設定された期間の情報である表示有効期間情報が付加された前記オープニング画像データである追加オープニング画像データとが記録された記録媒体（２０）と、自装置の電源が投入されたときに、前記追加オープニング画像データに付加された前記表示有効期間情報を取得する表示条件取得部（５２）と、前記自装置の電源が投入されたときに、この電源投入時の年月日情報を取得する日時情報取得部（５３）と、前記日時情報取得部（５３）が取得した前記電源投入時の年月日情報の示す時点が、前記表示条件取得部（５２）で取得された表示有効期間情報の示す期間内に含まれるか否かを判断し、判断の結果、前記電源投入時の年月日情報の示す時点が前記表示有効期間情報の示す期間内に含まれるときには前記追加オープニング画像データを選択し、前記電源投入時の年月日情報の示す時点が前記表示有効期間情報の示す期間内に含まれないときには前記デフォルトオープニング画像データを選択するオープニング画像選択部（５４）と、前記オープニング画像選択部（５４）が選択した前記追加オープニング画像データまたは前記デフォルトオープニング画像データを前記記録媒体（２０）から取得し前記表示装置に送信する表示情報取得送信部（５５）（６０）とを備えることを特徴とする。
【０００９】
この画像再生装置（１）は、前記表示条件取得部（５２）が取得した前記表示有効期間情報の示す期間が、前記日時情報取得部（５３）が取得した電源投入時の年月日情報の示す時点以前であるときに、前記記録媒体に記録されている前記追加オープニング画像データを削除するデータ削除処理部（５８）をさらに有する画像再生装置（４）としてもよい。
【００１０】
また、本発明の他の形態の画像再生装置（２）は、表示装置に画像データを再生させるものであり、自装置の電源が投入されてからユーザの操作が可能になるまでの期間に起動時に前記表示装置に表示させるオープニング画像データであり表示条件としての制限を持たないデフォルトオープニング画像データと、予め表示条件として設定された表示可能な装置を識別する情報である表示有効装置情報が付加された前記オープニング画像データである追加オープニング画像データとが記録された記録媒体（２０）と、自装置の電源が投入されたときに、前記追加オープニング画像データに付加された前記表示有効装置情報を取得する表示条件取得部（５２）と、前記自装置の電源が投入されたときに、この前記自装置を識別する自装置情報を取得する装置情報取得部（５７）と、前記装置情報取得部（５７）が取得した前記自装置情報が、前記表示条件取得部（５２）で取得された表示有効装置情報に該当するか否かを判断し、判断の結果、前記自装置情報が前記表示有効装置情報に該当するときには前記追加オープニング画像データを選択し、前記自装置情報が前記表示有効装置情報に該当しないときには前記デフォルトオープニング画像データを選択するオープニング画像選択部（５４）と、前記オープニング画像選択部（５４）が選択した前記追加オープニング画像データまたは前記デフォルトオープニング画像データを前記記憶媒体（２０）から取得し前記表示装置に送信する表示情報取得送信部（６０）とを備えることを特徴とする。
【００１１】
また、この画像再生装置（２）は、前記表示条件取得部（５２）が取得した表示有効装置情報が、前記装置情報取得部（５７）で取得された自表示情報に該当しないときに、前記記録媒体に記録されている前記追加オープニング画像データを削除するデータ削除処理部をさらに有するようにしてもよい。
【００１２】
また、これらの画像再生装置（１〜４）は、前記追加オープニング画像データを外部から受信して前記記録媒体（２０）に記録する追加オープニング画像データ記録制御部（５１）をさらに有するようにしてもよい。
【発明の効果】
【００１３】
本発明の画像再生装置によれば、起動時の環境に基づいてユーザのニーズに応じたオープニング画像を表示させることにより、起動時間が長いことによりユーザが感じる不快感を低減させることができる。
【発明を実施するための最良の形態】
【００１４】
《第１実施形態》
〈第１実施形態による画像再生装置の構成〉
本発明の第１実施形態による画像再生装置の構成を、図１のブロック図を参照して説明する。
【００１５】
図１において、本実施形態による画像再生装置１は、オープニング画像データ受信部１０と、記録媒体２０と、ユーザ入力部３０と、計時部４０と、制御部５０Ａと、表示情報送信部６０とを有する。
【００１６】
オープニング画像データ受信部１０は、衛星放送や地上デジタルテレビジョン放送などを介して、新たなオープニング画像データである追加オープニング画像データを受信する。
【００１７】
この追加オープニング画像データには、表示を許可する表示条件として、表示有効期間情報が付加されている。
【００１８】
記録媒体２０には、予め入力されたオープニング画像データであり表示条件として制限を持たないデフォルトオープニング画像データが記録されるとともに、オープニング画像データ受信部１０で受信された追加オープニング画像データが制御部５０Ａの制御により記録される。
【００１９】
なお、各オープニング画像データは、静止画データや動画データで構成される。
【００２０】
ユーザ入力部３０は、ユーザにより電源を投入する操作が行われたときに電源投入指示信号を生成し、電源を切断する操作が行われたときに電源切断指示信号を生成する。
【００２１】
計時部４０は、現在の年月日情報を取得する。
【００２２】
制御部５０Ａは、追加オープニング画像データ記録制御部５１と、表示条件取得部５２と、日時情報取得部５３と、オープニング画像選択部５４と、オープニング画像データ取得部５５と、表示情報生成部５６とを有する。
【００２３】
追加オープニング画像データ記録制御部５１は、オープニング画像データ受信部１０で受信された追加オープニング画像データを取得し、記録媒体２０に記録する。
【００２４】
表示条件取得部５２は、ユーザ入力部３０から電源投入指示信号が入力されると、記録媒体２０に記録されている追加オープニング画像データに付加されている表示有効期間情報を取得する。
【００２５】
日時情報取得部５３は、ユーザ入力部３０から電源投入指示信号が入力されると、計時部４０からその入力時点での年月日情報を取得する。
【００２６】
オープニング画像選択部５４は、表示条件取得部５２で取得した表示有効期間情報と日時情報取得部５３で取得した入力時点での年月日情報とを比較して、入力時点での年月日が表示有効期間内に含まれているか否かを判断し、その判断の結果、入力時点の年月日が表示有効期間内であるときには、実際に表示するオープニング画像データとして追加オープニング画像データを選択し、入力時点での現在の年月日が表示有効期間内ではないときにはデフォルトオープニング画像データを選択する。
【００２７】
オープニング画像データ取得部５５は、オープニング画像選択部５４で選択されたオープニング画像データを記録媒体２０から取得する。
【００２８】
表示情報生成部５６は、オープニング画像データ取得部５５で取得されたオープニング画像データから表示情報を生成する。
【００２９】
表示情報送信部６０は、表示情報生成部５６で生成された表示情報を外部の表示装置に送信する。
【００３０】
〈第１実施形態による画像再生装置の動作〉
次に、本実施形態における画像再生装置１の動作を説明する。
【００３１】
本実施形態において、記録媒体２０には予め表示条件として制限を持たないオープニング画像データであるデフォルトオープニング画像データが記録されている。
【００３２】
また、オープニング画像データ受信部１０が新たなオープニング画像データである追加オープニング画像データを受信すると、制御部５０Ａの追加オープニング画像データ記録制御部５１はこの受信した追加オープニング画像データを記録媒体２０に記録する。
【００３３】
この追加オープニング画像データは、衛星放送、地上デジタルテレビジョン放送、またはネットワークなどを介して取得されたデータである。そして、この画像データによって機種ごとの、不具合情報、機能追加情報、次期モデルの宣伝情報などを表示する。なお、それぞれの追加オープニング画像データにはそれぞれの画像データによる画像を表示させることが可能な期間の情報である表示有効期間情報が付加されている。
【００３４】
本実施形態において記録媒体２０に記録されているデフォルトオープニング画像データと、追加オープニング画像データの一例を、図２に示す。
【００３５】
図２は、各画像データを画面に表示した場合の表示例である。図２（ａ）は、表示有効期間が制限されていないデフォルトオープニング画像データの表示例である。図２（ｂ）は、表示有効期間が2007/06/01〜2007/07/31に制限されており、不具合○○○を修正するプログラムのダウンロード情報を表示する追加オープニング画像データＡの例である。図２（ｃ）は、表示有効期間が2007/08/01〜2007/09/31に制限されており、新たな機能△△△のダウンロード情報を表示する追加オープニング画像データＢの例である。図２（ｄ）は、表示有効期間が2007/10/01〜2007/12/31に制限されており、新たなバージョンVer.6.0のダウンロード情報を表示する追加オープニング画像データＣの例である。
【００３６】
図２に示した、デフォルトオープニング画像データおよび追加オープニング画像データが記録媒体２０に記録された状態で画像再生装置１に電源が投入されるとこれらのオープニング画像データを基に、制御部５０Ａは、外部の表示装置（図示せず）にオープニング画像を表示させるための表示情報を生成する。
【００３７】
制御部５０Ａが表示情報を生成するときの動作を、図３のフローチャートを参照して説明する。なお、特に記述がない限りは、本動作の主体は制御部５０Ａである。
【００３８】
まず、ユーザの操作により電源を投入する操作が行われると、ユーザ入力部３０から電源投入指示信号が入力される（Ｓ１）。
【００３９】
ユーザ入力部３０により電源投入指示信号が入力されると、記録媒体２０に記録されている各追加オープニング画像データを識別する情報と表示有効期間情報とを表示条件取得部５２が取得するとともに、日時情報取得部５３が計時部４０から電源投入指示信号入力時点での年月日情報を取得する（Ｓ２）。
【００４０】
ここでは、表示有効期間情報として追加オープニング画像データＡに付加されている表示有効期間情報：2007/06/01〜2007/07/31と、追加オープニング画像データＢに付加されている表示有効期間情報：2007/08/01〜2007/09/30と、追加オープニング画像データＣに付加されている表示有効期間情報：2007/10/01〜2007/12/31とを記録媒体２０から取得する。また、電源投入指示信号入力時点の年月日情報として2007/10/05を計時部４０から取得するものとする。
【００４１】
次に、オープニング画像選択部５４は、表示条件取得部５２で取得した各表示有効期間情報と日時情報取得部５３で取得した電源投入指示信号入力時点の年月日情報とを比較し、電源投入指示信号入力時点の年月日が表示有効期間内に含まれているか否かを判断する（Ｓ３）。
【００４２】
本実施形態においては電源投入指示信号入力時点の年月日が2007/10/05であり、これは追加オープニング画像データＣに付加されている表示有効期間情報が示す期間である2007/10/01〜2007/12/31の中に含まれているとオープニング画像選択部５４は判断する。
【００４３】
このように電源投入指示信号入力時点の年月日が表示有効期間内に含まれていると判断したときには（Ｓ３の「YES」）、当該表示有効期間情報に対応するオープニング画像データである追加オープニング画像データＣを、実際に表示するオープニング画像データとしてオープニング画像選択部５４は選択する（Ｓ４）。
【００４４】
オープニング画像選択部５４が、表示するオープニング画像として追加オープニング画像データＣを選択すると、オープニング画像データ取得部５５は記録媒体２０から追加オープニング画像データＣを取得する（Ｓ５）。
【００４５】
オープニング画像データ取得部５５が追加オープニング画像データＣを取得すると、この追加オープニング画像データＣを表示させるための表示情報を表示情報生成部５６が生成する（Ｓ６）。
【００４６】
また、ステップＳ３において電源投入指示信号入力時点の年月日が表示有効期間内に含まれないと判断したときには（Ｓ３の「NO」）、オープニング画像選択部５４は、表示させるオープニング画像データとしてデフォルトオープニング画像データを選択し（Ｓ７）、オープニング画像データ取得部５５は記録媒体２０からデフォルトオープニング画像データを取得し（Ｓ５）、このデフォルトオープニング画像データを表示させるための表示情報を表示情報生成部５６が生成する（Ｓ６）。
【００４７】
表示情報生成部５６で生成された表示情報は表示情報送信部６０から外部の表示装置に送信され、オープニング画像として表示される。
【００４８】
以上の第１実施形態の画像再生装置によれば、起動したときの日時情報に対応するオープニング画像を表示させることにより、好適な時期に必要な情報をユーザに伝達することができるとともに、起動時間が長いことによりユーザが感じる不快感を低減させることができる。
【００４９】
《第２実施形態》
〈第２実施形態による画像再生装置の構成〉
本発明の第２実施形態による画像再生装置２の構成を、図４のブロック図を参照して説明する。
【００５０】
図４において、本実施形態による画像再生装置２は、計時部４０を有さず、制御部５０Ａの日時情報取得部５３に変わって装置情報取得部５７を有する制御部５０Ｂを備えることの他は第１実施形態において説明した図１の画像再生装置１の構成と同様であるため、同一部分の詳細な説明については省略する。
【００５１】
本実施形態において、オープニング画像データ受信部１０で受信され記録媒体２０に記録される追加オープニング画像データには、表示を許可する表示条件として、表示させる画像再生装置の機種を識別する情報や、テレビジョン、ＤＶＤレコーダなど製品の種類を識別する情報である表示有効装置情報が付加されている。
【００５２】
制御部５０Ｂの表示条件取得部５２は、ユーザ入力部３０から電源投入指示信号が入力されると、記録媒体２０に記録されている追加オープニング画像データに付加されている表示有効装置情報を取得する。
【００５３】
制御部５０Ｂの装置情報取得部５７は、ユーザ入力部３０から電源投入指示信号が入力されると、自装置内に記憶されている製品の種類や機種を識別する情報である自装置情報を取得する。
【００５４】
制御部５０Ｂのオープニング画像選択部５４は、表示条件取得部５２で取得した表示有効装置情報と装置情報取得部５７で取得した自装置情報とを比較して、自装置が当該表示有効装置に該当するか否かを判断し、その判断の結果、自装置が当該表示有効装置に該当するときには、実際に表示するオープニング画像データとして追加オープニング画像データを選択し、自装置が当該表示有効装置に該当しないときにはデフォルトオープニング画像データを選択する。
【００５５】
〈第２実施形態による画像再生装置の動作〉
次に、本実施形態における画像再生装置２の動作を説明する。
【００５６】
本実施形態においても、第１実施形態と同様に予め設定されたデフォルトオープニング画像データとともに、新たに受信した追加オープニング画像データを記録媒体２０に記録している。
【００５７】
本実施形態における追加オープニング画像データには、それぞれの画像データによる画像を表示させることが可能な装置を特定する情報である表示有効装置情報がそれぞれ付加されている。
【００５８】
本実施形態において記録媒体２０に記録されているデフォルトオープニング画像データと、追加オープニング画像データの一例を、図５に示す。
【００５９】
図５は、各画像データを画面に表示した場合の表示例である。図５（ａ）は、表示有効装置が制限されていないデフォルトオープニング画像データの表示例である。図５（ｂ）は、表示有効装置がＤＶＤプレーヤ（機種aabbcc）に制限されており、不具合○○○を修正するプログラムのダウンロード情報を表示する追加オープニング画像データＤの例である。図５（ｃ）は、表示有効装置がＤＶＤプレーヤ（機種ddeeff）に制限されており、新たな機能△△△のダウンロード情報を表示する追加オープニング画像データＥの例である。図５（ｄ）は、表示有効装置がハードディスクレコーダに制限されており、新たなバージョンVer.6.0のダウンロード情報を表示する追加オープニング画像データＦの例である。
【００６０】
図５に示した、デフォルトオープニング画像データおよび追加オープニング画像データが記録媒体２０に記録された状態で画像再生装置２に電源が投入されると、これらのオープニング画像データを基に、制御部５０Ｂは、外部の表示装置（図示せず）にオープニング画像を表示させるための表示情報を生成する。
【００６１】
制御部５０Ｂが表示情報を生成するときの動作を、図６のフローチャートを参照して説明する。なお、特に記述がない限りは、本動作の主体は制御部５０Ｂである。
【００６２】
まず、ユーザの操作により電源を投入する操作が行われると、ユーザ入力部３０から電源投入指示信号が入力される（Ｓ１１）。
【００６３】
ユーザ入力部３０により電源投入指示信号が入力されると、記録媒体２０に記録されている各追加オープニング画像データを識別する情報と表示有効装置情報とを表示条件取得部５２が取得するとともに、装置情報取得部５７が自装置内に記憶されている製品の種類や機種に関する情報である自装置情報を取得する（Ｓ１２）。
【００６４】
ここでは、表示有効装置情報として追加オープニング画像データＤに付加されている表示有効装置情報：ＤＶＤプレーヤ（機種aabbcc）と、追加オープニング画像データＥに付加されている表示有効装置情報：ＤＶＤプレーヤ（機種ddeeff）と、追加オープニング画像データＦに付加されている表示有効装置情報：ハードディスクレコーダとを記録媒体２０から取得する。また、自装置情報としてハードディスクレコーダ（機種gghhii）を取得するものとする。
【００６５】
次に、オープニング画像選択部５４は、表示条件取得部５２で取得した各表示有効装置情報と装置情報取得部５７で取得した自装置情報とを比較し、自装置情報が該当する表示有効装置情報があるか否かを判断する（Ｓ１３）。
【００６６】
本実施形態においては自装置情報がハードディスクレコーダ（機種gghhii）であり、追加オープニング画像データFに付加されている表示有効装置であるハードディスクレコーダに該当するとオープニング画像選択部５４は判断する。
【００６７】
このように自装置情報に該当する表示有効装置情報があると判断したときには（Ｓ１３の「YES」）、当該表示有効装置に対応するオープニング画像データである追加オープニング画像データＦを、実際に表示させるオープニング画像データとしてオープニング画像選択部５４は選択する（Ｓ１４）。
【００６８】
オープニング画像選択部５４が、表示するオープニング画像として追加オープニング画像データＦを選択すると、オープニング画像データ取得部５５は記録媒体２０から追加オープニング画像データＦを取得する（Ｓ１５）。
【００６９】
オープニング画像データ取得部５５が追加オープニング画像データＦを取得すると、この追加オープニング画像データＦを表示させるための表示情報を表示情報生成部５６が生成する（Ｓ１６）。
【００７０】
また、ステップＳ１３において自装置情報に該当する表示有効装置情報がないと判断したときには（Ｓ１３の「NO」）、オープニング画像選択部５４は、表示させるオープニング画像データとしてデフォルトオープニング画像データを選択し（Ｓ１７）、オープニング画像データ取得部５５は記録媒体２０からデフォルトオープニング画像データを取得し（Ｓ１５）、このデフォルトオープニング画像データを表示させるための表示情報を表示情報生成部５６が生成する（Ｓ１６）。
【００７１】
表示情報生成部５６で生成された表示情報は表示情報送信部６０から外部の表示装置に送信され、オープニング画像として表示される。
【００７２】
本実施形態において、上記のステップＳ１３において表示条件取得部５２で取得された各表示有効装置情報と装置情報取得部５７で取得された自装置情報とが比較されたときに、自装置情報に該当しない表示有効装置情報が付加された追加オープニング画像データは、記録媒体２０から削除するようにしてもよい。
【００７３】
以上の第２実施形態の画像再生装置によれば、起動した装置に対応するオープニング画像を表示させることにより、装置に応じた必要な情報をユーザに伝達することができるとともに、起動時間が長いことによりユーザが感じる不快感を低減させることができる。
【００７４】
《第３実施形態》
本発明の第３実施形態による画像再生装置３の構成を、図７のブロック図を参照して説明する。
【００７５】
図７において、本実施形態による画像再生装置３は、制御部５０Ｃに装置情報取得部５７を有する他は第１実施形態において説明した図１の画像再生装置１の構成と同様であるため、同一部分の詳細な説明については省略する。
【００７６】
本実施形態において、オープニング画像データ受信部１０で受信され記録媒体２０に記録される追加オープニング画像データには、表示を許可する表示条件として、表示有効期間情報、および、表示させる画像再生装置の機種を特定する情報や、テレビジョン、ＤＶＤレコーダなど製品の種類を特定する情報である表示有効装置情報が付加されている。
【００７７】
制御部５０Ｃの表示条件取得部５２は、ユーザ入力部３０から電源投入指示信号が入力されると、記録媒体２０に記録されている追加オープニング画像データに付加されている表示有効期間情報および表示有効装置情報を取得する。
【００７８】
制御部５０Ｃの装置情報取得部５７は、ユーザ入力部３０から電源投入指示信号が入力されると、自装置内に記憶されている製品の種類や機種に関する情報である自装置情報を取得する。
【００７９】
制御部５０Ｃのオープニング画像選択部５４は、表示条件取得部５２で取得した表示有効期間情報と日時情報取得部５３で取得した電源投入指示信号入力時点の年月日情報とを比較して、入力時点での年月日が表示有効期間内に含まれているか否かを判断し、その判断の結果、入力時点での年月日が表示有効期間内に含まれているときには表示条件取得部５２で取得した表示有効装置情報と装置情報取得部５７で取得された自装置情報とを比較して自装置が当該表示有効装置に該当するか否かを判断し、その判断の結果、自装置が当該表示有効装置に該当するときには、実際に表示するオープニング画像データとして追加オープニング画像データを選択し、入力時点での年月日が取得した表示有効期間内に含まれていないとき、または自装置が当該表示有効装置に該当しないときにはデフォルトオープニング画像データを選択する。
【００８０】
〈第３実施形態による画像再生装置の動作〉
次に、本実施形態における画像再生装置３の動作を説明する。
【００８１】
本実施形態においても第１実施形態と同様に、予め設定されたデフォルトオープニング画像データとともに、新たに受信した追加オープニング画像データを記録媒体２０に記録する。
【００８２】
本実施形態における追加オープニング画像データには、表示させることが可能な期間の情報である表示有効期間情報、および、表示させることが可能な装置を特定する情報である表示有効装置情報がそれぞれ付加されている。
【００８３】
本実施形態において記録媒体２０に記録されているデフォルトオープニング画像データと、追加オープニング画像データの一例を、図８に示す。
【００８４】
図８は、各画像データを画面に表示した場合の表示例である。図８（ａ）は、表示有効期間情報および表示有効装置が制限されていないデフォルトオープニング画像データの表示例である。図８（ｂ）は、表示有効期間情報が2007/06/01〜2007/07/31に制限されるとともに表示有効装置がＤＶＤプレーヤ（機種aabbcc）に制限されており、不具合○○○を修正するプログラムのダウンロード情報を表示する追加オープニング画像データＧの例である。図８（ｃ）は、表示有効期間情報が2007/08/01〜2007/09/31に制限されるとともに表示有効装置がＤＶＤプレーヤ（機種ddeeff）に制限されており、新たな機能△△△のダウンロード情報を表示する追加オープニング画像データＨの例である。図８（ｄ）は、表示有効期間情報が2007/10/01〜2007/12/31に制限されるとともに表示有効装置がハードディスクレコーダに制限されており、新たなバージョンVer.6.0のダウンロード情報を表示する追加オープニング画像データＩの例である。
【００８５】
図８に示した、デフォルトオープニング画像データおよび追加オープニング画像データが記録媒体２０に記録された状態で画像再生装置３に電源が投入されると、これらのオープニング画像データを基に、制御部５０Ｃは、外部の表示装置（図示せず）にオープニング画像を表示させるための表示情報を生成する。
【００８６】
制御部５０Ｃが表示情報を生成するときの動作を、図９のフローチャートを参照して説明する。なお、特に記述がない限りは、本動作の主体は制御部５０Ｃである。
【００８７】
まず、ユーザの操作により電源を投入する操作が行われると、ユーザ入力部３０から電源投入指示信号が入力される（Ｓ２１）。
【００８８】
ユーザ入力部３０により電源投入指示信号が入力されると、記録媒体２０に記録されている各追加オープニング画像データを識別する情報と表示有効期間情報とを表示条件取得部５２が取得するとともに、日時情報取得部５３が計時部４０から電源投入指示信号の入力時点での年月日情報を取得する（Ｓ２２）。
【００８９】
ここでは、表示有効期間情報として追加オープニング画像データＧに付加されている表示有効期間情報：2007/06/01〜2007/07/31と、追加オープニング画像データＨに付加されている表示有効期間情報：2007/08/01〜2007/09/30と、追加オープニング画像データＩに付加されている表示有効期間情報：2007/10/01〜2007/12/31とが記録媒体２０から取得される。また、電源投入指示信号入力時点の年月日情報として2007/10/05を計時部４０から取得するものとする。
【００９０】
次に、オープニング画像選択部５４は、表示条件取得部５２で取得した各表示有効期間情報と日時情報取得部５３で取得した電源投入指示信号入力時点の年月日情報とを比較し、電源投入指示信号入力時点の年月日が表示有効期間内に含まれているか否かを判断する（Ｓ２３）。
【００９１】
本実施形態においては電源投入指示信号入力時点の年月日が2007/10/05であり、これは追加オープニング画像データＩに付加されている表示有効期間情報が示す期間である2007/10/01〜2007/12/31の中に含まれているとオープニング画像選択部５４は判断する。
【００９２】
このように電源投入指示信号入力時点の年月日が表示有効期間内に含まれていると判断したときには（Ｓ２３の「YES」）、当該表示有効期間情報に対応するオープニング画像データである追加オープニング画像データＩの表示有効装置情報を表示条件取得部５２が取得するとともに、装置情報取得部５７が自装置内に記憶されている製品の種類や機種に関する情報である自装置情報を取得する（Ｓ２４）。
【００９３】
ここでは、表示有効装置情報として追加オープニング画像データＩに付加されている表示有効装置情報である「ハードディスクレコーダ」を記録媒体２０から取得する。、また、自装置情報としてハードディスクレコーダ（機種gghhii）を取得するものとする。
【００９４】
次に、オープニング画像選択部５４は、表示条件取得部５２で取得した表示有効装置情報と装置情報取得部５７で取得した自装置情報とを比較し、自装置情報が該当する表示有効装置情報があるか否かを判断する（Ｓ２５）。
【００９５】
本実施形態においては自装置情報がハードディスクレコーダ（機種gghhii）であり、追加オープニング画像データＩに付加されている表示有効装置であるハードディスクレコーダに該当するとオープニング画像選択部５４は判断する。
【００９６】
このように自装置情報に該当する表示有効装置情報があると判断したときには（Ｓ２５の「YES」）、当該表示有効装置に対応するオープニング画像データである追加オープニング画像データＩを、実際に表示させるオープニング画像データとしてオープニング画像選択部５４は選択する（Ｓ２６）。
【００９７】
オープニング画像選択部５４が、表示するオープニング画像として追加オープニング画像データＩを選択すると、オープニング画像データ取得部５５は記録媒体２０から追加オープニング画像データＩを取得する（Ｓ２７）。
【００９８】
オープニング画像データ取得部５５が追加オープニング画像データＩを取得すると、この追加オープニング画像データＩを表示させるための表示情報を表示情報生成部５６が生成する（Ｓ２８）。
【００９９】
また、ステップＳ２３において電源投入指示信号入力時点の年月日が表示有効期間内に含まれないと判断したとき（Ｓ１３の「NO」）、または、自装置情報に該当する表示有効装置情報がないと判断したとき（Ｓ２５の「NO」）には、オープニング画像選択部５４は、表示させるオープニング画像データとしてデフォルトオープニング画像データを選択し（Ｓ２９）、オープニング画像データ取得部５５は記録媒体２０からデフォルトオープニング画像データを取得し（Ｓ２７）、このデフォルトオープニング画像データを表示させるための表示情報を表示情報生成部５６が生成する（Ｓ２８）。
【０１００】
表示情報生成部５６で生成された表示情報は表示情報送信部６０から外部の表示装置に送信され、オープニング画像として表示される。
【０１０１】
以上の第３実施形態の画像再生によれば、起動したときの日時情報に該当する表示有効期間情報が設定されるとともに起動した装置に該当する表示有効装置情報が設定されたオープニング画像を表示させることにより、好適な時期に装置に応じた必要な情報をユーザに伝達することができるとともに、起動時間が長いことによりユーザが感じる不快感を低減させることができる。
【０１０２】
《第４実施形態》
〈第４実施形態による画像再生装置の構成〉
本発明の第４実施形態による画像再生装置４の構成を、図１０のブロック図を参照して説明する。
【０１０３】
図１０において、本実施形態による画像再生装置４は、制御部５０Ｄにデータ削除処理部５８を有する他は第１実施形態において説明した図１の画像再生装置１の構成と同様であるため、同一部分の詳細な説明については省略する。
【０１０４】
本実施形態においてオープニング画像選択部５４は、表示条件取得部５２で取得した表示有効期間情報と日時情報取得部５３で取得した電源投入指示信号入力時点での年月日情報とを比較し、入力時点での年月日以前の期間の情報であり既に経過したと判断される表示有効期間情報をデータ削除処理部５８に送出する。
【０１０５】
データ削除処理部５８は、オープニング画像選択部５４から取得した、既に経過したと判断された表示有効期間情報に対応する追加オープニング画像データを削除する指示信号を記録媒体２０に送出する。
【０１０６】
〈第４実施形態による画像再生装置の動作〉
次に、本実施形態における画像再生装置４の動作を説明する。
【０１０７】
本実施形態においても第１実施形態と同様に、予め設定されたデフォルトオープニング画像データとともに、新たに受信した追加オープニング画像データが図２に示すように記録媒体２０に記録されている。
【０１０８】
デフォルトオープニング画像データおよび追加オープニング画像データが記録媒体２０に記録された状態で画像再生装置４に電源が投入されるとこれらのオープニング画像データを基に、制御部５０Ｄは、外部の表示装置（図示せず）にオープニング画像を表示させるための表示情報を生成する。
【０１０９】
制御部５０Ｄが表示情報を生成するときの動作を、図１１のフローチャートを参照して説明する。なお、特に記述がない限りは、本動作の主体は制御部５０Ｄである。
【０１１０】
図１１におけるステップＳ３１〜Ｓ３４の処理は、図３のステップＳ１〜Ｓ４の処理と同様であるため、詳細な説明は省略する。
【０１１１】
ステップＳ３４においてオープニング画像選択部５４が表示するオープニング画像データを選択すると、さらに電源投入指示信号の入力時点での年月日以前の期間の情報であり既に経過した表示有効期間情報があるか否を判断する（Ｓ３５）。
【０１１２】
本実施形態においては電源投入指示信号入力時点の年月日が2007/10/05であり、追加オープニング画像データＡに付加されている表示有効期間情報：2007/06/01〜2007/07/31および追加オープニング画像データＢに付加されている表示有効期間情報：2007/08/01〜2007/09/30が既に経過した有効期間の情報であると判断する。
【０１１３】
このようにオープニング画像選択部５４が既に経過した表示有効期間情報があると判断したときには（Ｓ３５の「YES」）、これらの表示有効期間情報をデータ削除処理部５８に送出する。データ削除処理部５８はこれらの表示有効期間情報に対応する追加オープニング画像データＡおよびＢを削除する指示信号を記録媒体２０に送出する。
【０１１４】
記録媒体２０は、追加オープニング画像データＡおよびＢを削除する指示信号を取得すると、記録していた追加オープニング画像データＡおよびＢを削除する（Ｓ３６）。
【０１１５】
ステップＳ３７〜Ｓ３９の処理は、図３におけるステップＳ５〜Ｓ７の処理と同様であるため、詳細な説明は省略する。
【０１１６】
本実施形態においては、第１実施形態の画像再生装置にデータ削除処理部を設けた場合について説明したが、第２実施形態または第３実施形態による画像再生装置にデータ削除処理部を設けるように構成してもよい。
【０１１７】
以上の第４実施形態によれば、起動したときの日時情報に該当する表示有効期間情報が設定されたオープニング画像を表示させることにより、好適な時期に必要な情報をユーザに伝達することができるとともに、不要な追加オープニング画像データを記録媒体から削除するため、記録媒体の容量を有効に利用することができ、また、次回の電源投入時にオープニング画像を表示するときの処理工数を軽減させることができる。
【０１１８】
また、上記の第１実施形態〜第４実施形態の画像再生装置によれば、追加オープニング画像データは衛星放送、地上デジタルテレビジョン、またはネットワークなどを介して外部から受信可能であるため、新たに発生した情報を表示させるオープニング画像データを適宜受信してオープニング画像を更新させることができる。
【０１１９】
また、上記の第１実施形態〜第４実施形態のいずれかの画像再生装置の機能構成をプログラム化してコンピュータに組み込むことにより、当該コンピュータを画像再生装置として機能させる画像再生プログラムを構築することも可能である。
【図面の簡単な説明】
【０１２０】
【図１】本発明の第１実施形態による画像再生装置１の構成を示すブロック図である。
【図２】本発明の第１実施形態による画像再生装置１の記録媒体２０に記録されたオープニング画像データを示す説明図である。
【図３】本発明の第１実施形態による画像再生装置１の制御部５０Ａの動作を示すフローチャートである。
【図４】本発明の第２実施形態による画像再生装置２の構成を示すブロック図である。
【図５】本発明の第２実施形態による画像再生装置２の記録媒体２０に記録されたオープニング画像データを示す説明図である。
【図６】本発明の第２実施形態による画像再生装置２の制御部５０Ｂの動作を示すフローチャートである。
【図７】本発明の第３実施形態による画像再生装置３の構成を示すブロック図である。
【図８】本発明の第３実施形態による画像再生装置３の記録媒体２０に記録されたオープニング画像データを示す説明図である。
【図９】本発明の第３実施形態による画像再生装置３の制御部５０Ｃの動作を示すフローチャートである。
【図１０】本発明の第４実施形態による画像再生装置４の構成を示すブロック図である。
【図１１】本発明の第４実施形態による画像再生装置４の制御部５０Ｄの動作を示すフローチャートである。
【符号の説明】
【０１２１】
１〜４…画像再生装置
１０…オープニング画像データ受信部
２０…記録媒体
３０…ユーザ入力部
４０…計時部
５０Ａ〜５０Ｄ…制御部
５１…追加オープニング画像データ記録制御部
５２…表示条件取得部
５３…日時情報取得部
５４…オープニング画像選択部
５５…オープニング画像データ取得部
５６…表示情報生成部
５７…装置情報取得部
５８…データ削除処理部
６０…表示情報送信部
【図１】
2009100008.tif 000003
【図２】
2009100008.tif 000004
【図３】
2009100008.tif 000005
【図４】
2009100008.tif 000006
【図５】
2009100008.tif 000007
【図６】
2009100008.tif 000008
【図７】
2009100008.tif 000009
【図８】
2009100008.tif 000010
【図９】
2009100008.tif 000011
【図１０】
2009100008.tif 000012
【図１１】
2009100008.tif 000013